(57)【要約】【課題】信号伝達を媒介するケーブルの可撓性を構造的に向上させることによって、アクチュエータの回転抵抗が低下し、データの探索特性が改善される、ハードディスクドライブおよびハードディスクドライブのケーブルを提供すること。【解決手段】少なくとも一つ以上の情報保存用ディスク１５０と；ディスク１５０を回転駆動するスピンドルモータ１５５と；読み取り／書き込みヘッド１３８をディスク上の所定位置に移動させるアクチュエータ１３０と；アクチュエータ１３０の一側に接続されるケーブル１２０と；ケーブル１２０を回路基板と接続させるブラケット１７５と；を備え、ケーブル１２０の長手方向に沿って少なくとも一部にかけては、他の部分に比べて相対的に薄いフリーベンディング部１２５ａが設けられることを特徴とする、ハードディスクドライブが提供される。【選択図】図３
2007128638.tif 000002
【特許請求の範囲】
【請求項１】
情報を保存する、少なくとも一つ以上のディスクと；
前記ディスクを回転駆動するものであって、前記ディスクが装着されるスピンドルモータと；
記録及び再生のための読み取り／書き込みヘッドを前記ディスク上の所定位置に移動させるアクチュエータと；
前記アクチュエータの一側に接続されて、前記アクチュエータに電気的な信号を伝達するケーブルと；
前記ケーブルを回路基板と接続させるブラケットと；
を備え、
前記ケーブルの長手方向に沿って少なくとも一部にかけては、他の部分に比べて相対的に薄いフリーベンディング部が設けられることを特徴とする、ハードディスクドライブ。
【請求項２】
前記ケーブルは、
前記アクチュエータに接触されて支持される第１支持部と；
前記ブラケットに接触されて支持される第２支持部と；
前記第１支持部と第２支持部とを相互連結するものであって、自由な変形が許容されるように固定的に支持されていない連結部と；
を備え、
前記フリーベンディング部は、前記連結部の一部にかけて形成されていることを特徴とする、請求項１に記載のハードディスクドライブ。
【請求項３】
前記ケーブルは、
電気的な信号が導通される導電層と；
前記導電層の両面を挟んで保護する第１保護層及び第２保護層と；
を備え、
前記導電層は、前記ケーブルの総延長にわたって略同じ厚さに形成され、前記第１保護層及び第２保護層のうち少なくとも一つの保護層は、前記フリーベンディング部に該当する部位において相対的に薄く形成されていることを特徴とする、請求項１に記載のハードディスクドライブ。
【請求項４】
前記第１保護層及び第２保護層のうち少なくとも一つの保護層と前記導電層との間には、相互結合を媒介する接着層が介在することを特徴とする、請求項３に記載のハードディスクドライブ。
【請求項５】
前記ケーブルは、
電気的な信号が導通される導電層と；
前記導電層の両面を挟んで保護する第１保護層及び第２保護層と；
を備え、
前記導電層は、前記ケーブルの総延長にわたって略同じ厚さに形成され、前記第１保護層及び第２保護層のうち少なくとも一つの保護層は、前記フリーベンディング部に該当する部位において局部的に除去されていることを特徴とする、請求項１に記載のハードディスクドライブ。
【請求項６】
前記第１保護層及び第２保護層のうち少なくとも一つの保護層と前記導電層との間には、相互結合を媒介する接着層が介在することを特徴とする、請求項５に記載のハードディスクドライブ。
【請求項７】
前記第１支持部は、前記アクチュエータの側面に導電性結合され、
前記アクチュエータの一側には、前記第１支持部を弾性的に屈曲変形させて、前記第１支持部が前記アクチュエータの側面に密着されるように、前記アクチュエータの一側から突出して形成された加圧片が設けられることを特徴とする、請求項２に記載のハードディスクドライブ。
【請求項８】
前記第２支持部は、前記ブラケットに螺合され、
前記ブラケットには、前記ブラケットの上下に配置された前記第２支持部と回路基板とが相互電気的に接続されるように開口部が形成されていることを特徴とする、請求項２に記載のハードディスクドライブ。
【請求項９】
ハードディスクドライブのケーブルであって：
前記ケーブルの長手方向に沿って延びる導電層と；
前記導電層の両面にそれぞれ配置された第１保護層及び第２保護層と；
を備え、
前記ケーブルは、第１端部及び第２端部と、前記ケーブルの長さに沿って前記第１端部と第２端部との間に位置したフリーベンディング部を備え、
前記フリーベンディング部は、前記第１端部と第２端部との間に位置した前記ケーブルの他の部分より薄く形成されていることを特徴とする、ハードディスクドライブのケーブル。
【請求項１０】
前記導電層は、前記ケーブルの総延長にわたって略同じ厚さに形成され、前記第１保護層及び第２保護層のうち少なくとも一つの保護層は、前記フリーベンディング部に該当する部分で、前記第１端部と第２端部との間の他の部分より薄く形成されていることを特徴とする、請求項９に記載のハードディスクドライブのケーブル。
【請求項１１】
前記第１保護層及び第２保護層のうち少なくとも一つの保護層と前記導電層との間には接着層が介在し、
前記接着層は、前記導電層を前記保護層に接着させることを特徴とする、請求項１０に記載のハードディスクドライブのケーブル。
【請求項１２】
前記導電層は、前記ケーブルの総延長にわたって略同じ厚さに形成され、前記第１保護層及び第２保護層のうち少なくとも一つの保護層は、前記フリーベンディング部に該当する部分で不連続性を有することを特徴とする、請求項９に記載のハードディスクドライブのケーブル。
【請求項１３】
前記第１保護層及び第２保護層のうち少なくとも一つの保護層と前記導電層との間には接着層が介在し、
前記接着層は、前記導電層を前記保護層に接着させることを特徴とする、請求項１２に記載のハードディスクドライブのケーブル。
【発明の詳細な説明】
【技術分野】
【０００１】
本発明は、ハードディスクドライブ（Ｈａｒｄ  Ｄｉｓｋ  Ｄｒｉｖｅ：ＨＤＤ）およびＨＤＤのケーブルに関し、より詳細には、信号伝達を媒介するケーブルの可撓性を構造的に向上させることによって、アクチュエータの回転抵抗が低下し、データの探索特性の改善されるＨＤＤおよびＨＤＤのケーブルに関する。
【背景技術】
【０００２】
コンピュータの情報記録装置の一つであるＨＤＤは、読み取り／書き込みヘッドを使用してディスクに／からデータを再生／記録する装置である。このようなＨＤＤにおいて、上記ヘッドは、回転するディスクの記録面から所定の高さに浮上した状態で、アクチュエータにより所望の位置に移動しつつ、データの再生／記録機能を実行する。
【０００３】
図１は、従来のＨＤＤの構成を概略的に示す斜視図である。
【０００４】
図１に示すように、ＨＤＤには、データ保存用ディスク５０と、そのディスク５０を回転させるためのスピンドルモータ５５と、データの記録及び再生のための読み取り／書き込みヘッド３８をディスク５０上の所望の位置に移動させるためのアクチュエータ３０とが備えられる。アクチュエータ３０は、アクチュエータピボット３１に回転自在に結合されたスイングアーム３２と、スイングアーム３２の先端部に設置されて、前記ヘッド３８をディスク５０の表面側に付着されるように支持するサスペンション３５と、スイングアーム３２を回転させるためのボイスコイルモータ（Ｖｏｉｃｅ  Ｃｏｉｌ  Ｍｏｔｏｒ：ＶＣＭ）とを有する。ＶＣＭは、スイングアーム３２の後端部に設けられたコイル支持部４５に結合されたＶＣＭコイル４１と、ＶＣＭコイル４１に対面するように、ＶＣＭコイル４１の上部及び下部にそれぞれ配置されたマグネット７５とを備える。一方、図面符号７１は、マグネット７５が支持されるヨークを示す。
【０００５】
上記構成を有するＶＣＭは、ＶＣＭコイル４１に入力される電流と、マグネット７５により形成された磁場との相互作用により、フレミングの左手の法則による方向にスイングアーム３２を回転させる。すなわち、ＨＤＤの電源がオンになってディスク５０が一定の角速度Ωで回転し始めれば、ＶＣＭは、スイングアーム３２を所定方向、例えば、反時計回り方向に回転させて、読み取り／書き込みヘッド３８をディスク５０の記録面上に移動させる。このように、ディスク５０上にローディングされたヘッド３８は、回転するディスク５０により発生する揚力によりディスク５０の表面から所定の高さに浮上する。このような状態で、ヘッド３８は、ディスク５０の特定のトラックＴを探索し、ディスク５０の記録面に／からデータを書き込み／読み取る。
【０００６】
一方、ＨＤＤの電源がオフになって、ディスク５０の回転が停止すれば、ＶＣＭは、スイングアーム３２を逆方向、すなわち、時計回り方向に回転させる。これにより、ヘッド３８は、ディスク５０の記録面から離脱してアンローディング状態になり、ディスク５０の外郭に位置したランプ６０にパーキングされる。ここで、サスペンション３５の先端３９は、ランプ６０の外側面に乗って安全な位置に移動して、ランプ６０に設けられた支持面上に載置される。
【０００７】
アクチュエータ３０の側面には、アクチュエータ３０に駆動電源を供給し、電気的な信号を疎通するためのケーブル２０が接続される。アクチュエータ３０に接続されたケーブル２０は、軟性を有し、アクチュエータ３０に近接して配置されたブラケット８０に延びる。ケーブル２０の一側及び他側は、それぞれアクチュエータ３０及びブラケット８０に接触されて直接支持され、ケーブル２０の中間部分は、アクチュエータ３０やブラケット８０により直接支持されず、相対的に自由な変形が許容される。ブラケット８０の下側には、印刷回路基板（図示せず）が配置され、ブラケット８０を介してケーブル２０と接続される。ケーブル２０には、相異なる電気的信号を伝達する複数の導電パターンが設けられ、複数の導電パターンとして、例えば、読み取り／書き込みヘッド３８と電気的な信号を送受信するためのヘッド信号パターン、接地のためのグラウンドパターン、ＶＣＭに駆動電流を印加する駆動電流パターンなどを備える。
【０００８】
通常、ケーブル２０は、スイングアーム３２の旋回動作時に余裕マージンを確保し、旋回動作を妨害しないように十分な長さに設けられる。スイングアーム３２が時計回り方向または反時計回り方向に回転することによって、ケーブル２０が相互連結するアクチュエータ３０の側面とブラケット側面８３との間の距離が短縮してケーブル２０が曲がったり、またはアクチュエータ３０の側面とブラケット側面８３との間の距離が延びてケーブル２０が引っ張られたりする。ケーブル２０が曲がれば、スイングアーム３２には、ケーブル２０自体の弾性により復元力が加えられ、ケーブル２０が伸びれば、スイングアーム３２にはケーブル２０の張力が加えられる。
【０００９】
【特許文献１】特開平８−２８７６２５号公報
【発明の開示】
【発明が解決しようとする課題】
【００１０】
このように、ケーブル２０によりスイングアーム３２に加えられるバイアス力は、スイングアーム３２のローディング動作またはアンローディング動作時、一種の回転抵抗として作用され、回転抵抗を克服するために、ＶＣＭは、スイングアーム３２に対して十分な回転力を供給しなければならない。特に、迅速な応答性などの要求される動的特性を満足させるためには、ボイスコイル４１に印加される駆動電流が増加しなければならないので、アクチュエータ３０の消費電力が増加し、駆動効率が低下するという問題が発生する。
【００１１】
一方、ケーブル２０は、ベース部材の底面に対して垂直をなす直立状態で接続されることが望ましい。しかし、通常、製造技術の限界によって、例えば、ケーブル２０の一側が接続されるアクチュエータ３０の側面や、ケーブル２０の他側が接続されるブラケットの側面８３が、底面に対して完全な垂直をなせないか、またはケーブル２０の一側または他側が、アクチュエータ２０またはブラケットの側面８３に完全に密着できないことから、ケーブル２０は、ねじれた状態で接続されることが一般的である。
【００１２】
図２は、図１のケーブル２０をその上側から示す説明図であるが、ケーブル２０のねじれ変形によって、ケーブル２０の側面が表示される。ケーブル２０のねじれ変形は、ＶＣＭに印加される駆動電流とスイングアーム３２の回転角度との理想的な線形関係に悪影響を与えるため、スイングアーム３２に付着された読み取り／書き込みヘッド３８をディスク５０上の目的トラックに正確に移動させず、目的トラックへの移動に時間遅延が発生して、探索時間が長くなるという問題点がある。
【００１３】
そこで、本発明は、上記問題に鑑みてなされたものであり、本発明の目的とするところは、信号伝達を媒介するケーブルの可撓性を構造的に向上させることによって、アクチュエータの回転抵抗が低下し、データの探索特性が改善される、新規かつ改良されたハードディスクドライブおよびハードディスクドライブのケーブルを提供することにある。
【課題を解決するための手段】
【００１４】
上記課題を解決するために、本発明のある観点によれば、情報を保存する、少なくとも一つ以上のディスクと；ディスクを回転駆動するものであって、ディスクが装着されるスピンドルモータと；記録及び再生のための読み取り／書き込みヘッドをディスク上の所定位置に移動させるアクチュエータと；アクチュエータの一側に接続されて、アクチュエータに電気的な信号を伝達するケーブルと；ケーブルを回路基板と接続させるブラケットと；を備え、ケーブルの長手方向に沿って少なくとも一部にかけては、他の部分に比べて相対的に薄いフリーベンディング部が設けられることを特徴とする、ハードディスクドライブが提供される。
【００１５】
ケーブルは、アクチュエータに接触されて支持される第１支持部と；ブラケットに接触されて支持される第２支持部と；第１支持部と第２支持部とを相互連結するものであって、自由な変形が許容されるように固定的に支持されていない連結部と；を備え、フリーベンディング部は、連結部の一部にかけて形成されていてもよい。
【００１６】
ケーブルは、電気的な信号が導通される導電層と；導電層の両面を挟んで保護する第１保護層及び第２保護層と；を備え、導電層は、ケーブルの総延長にわたって略同じ厚さに形成され、第１保護層及び第２保護層のうち少なくとも一つの保護層は、フリーベンディング部に該当する部位において相対的に薄く形成されていてもよい。
【００１７】
第１保護層及び第２保護層のうち少なくとも一つの保護層と導電層との間には、相互結合を媒介する接着層が介在していてもよい。
【００１８】
ケーブルは、電気的な信号が導通される導電層と；導電層の両面を挟んで保護する第１保護層及び第２保護層と；を備え、導電層は、ケーブルの総延長にわたって略同じ厚さに形成され、第１保護層及び第２保護層のうち少なくとも一つの保護層は、フリーベンディング部に該当する部位において局部的に除去されていてもよい。
【００１９】
第１保護層及び第２保護層のうち少なくとも一つの保護層と導電層との間には、相互結合を媒介する接着層が介在していてもよい。
【００２０】
第１支持部は、アクチュエータの側面に導電性結合され、アクチュエータの一側には、第１支持部を弾性的に屈曲変形させて、第１支持部がアクチュエータの側面に密着されるように、アクチュエータの一側から突出して形成された加圧片が設けられていてもよい。
【００２１】
第２支持部は、ブラケットに螺合され、ブラケットには、ブラケットの上下に配置された第２支持部と回路基板とが相互電気的に接続されるように開口部が形成されていてもよい。
【００２２】
また、上記課題を解決するために、本発明の別の観点によれば、ハードディスクドライブのケーブルであって：ケーブルの長手方向に沿って延びる導電層と；導電層の両面にそれぞれ配置された第１保護層及び第２保護層と；を備え、ケーブルは、第１端部及び第２端部と、ケーブルの長さに沿って第１端部と第２端部との間に位置したフリーベンディング部を備え、フリーベンディング部は、第１端部と第２端部との間に位置したケーブルの他の部分より薄く形成されていることを特徴とする、ハードディスクドライブのケーブルが提供される。
【００２３】
導電層は、ケーブルの総延長にわたって略同じ厚さに形成され、第１保護層及び第２保護層のうち少なくとも一つの保護層は、フリーベンディング部に該当する部分で、第１端部と第２端部との間の他の部分より薄く形成されていてもよい。
【００２４】
第１保護層及び第２保護層のうち少なくとも一つの保護層と導電層との間には接着層が介在し、接着層は、導電層を保護層に接着させるようにしてもよい。
【００２５】
導電層は、ケーブルの総延長にわたって略同じ厚さに形成され、第１保護層及び第２保護層のうち少なくとも一つの保護層は、フリーベンディング部に該当する部分で不連続性を有してもよい。
【００２６】
第１保護層及び第２保護層のうち少なくとも一つの保護層と導電層との間には接着層が介在し、接着層は、導電層を保護層に接着させるようにしてもよい。
【発明の効果】
【００２７】
以上説明したように本発明によれば、アクチュエータに電気信号を伝達するケーブルの一部に、可撓性の高いフリーベンディング部が設けられることによって、ケーブルの回転によるバイアス力が低下し、アクチュエータの駆動効率が向上する。また、製造上の限界によって、ケーブルが捻れた状態で組付けられる場合にも、アクチュエータのスイング角度と入力電流との間に線形関係、またはそれに近接した線形的な関係が維持されることによって、読み取り／書き込みヘッドを目的トラックに迅速に接近させることができるので、データの探索特性が向上する。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
以下では、添付された図面を参照して、本発明の望ましい実施形態に係るＨＤＤについて説明する。
【００３０】
図３及び図４には、それぞれ本発明の一実施形態に係るＨＤＤの概略的な構造を示す斜視図及び平面図が示されている。
【００３１】
図３及び図４を共に参照して説明すれば、ＨＤＤは、データ保存用ディスク１５０を回転させるためのスピンドルモータ１５５と、データの記録及び再生のための読み取り／書き込みヘッド１３８をディスク１５０上の所定位置に移動させるためのアクチュエータ１３０とを備える。
【００３２】
スピンドルモータ１５５は、ＨＤＤのベース部材１１２上に設置される。このスピンドルモータ１５５には、一つまたは複数のデータ保存用ディスク１５０が装着され、このディスク１５０は、スピンドルモータ１５５により一定の角速度で回転する。
【００３３】
アクチュエータ１３０は、ベース部材１１２に設置されたアクチュエータピボット１３１と、スイングアーム１３２と、サスペンション１３５と、読み取り／書き込みヘッド１３８と、コイル支持部１４５と、ＶＣＭとを備える。スイングアーム１３２は、アクチュエータピボット１３１に回転自在に結合される。サスペンション１３５は、スイングアーム１３２の先端部に結合されて、読み取り／書き込みヘッド１３８をディスク１５０の表面側に付着されるように支持する。コイル支持部１４５は、スイングアーム１３２の後端部に設けられる。
【００３４】
ＶＣＭは、スイングアーム１３２を回転させるための駆動力を提供するものであって、ＶＣＭコイル１４１に入力される電流と、マグネット１７５により形成された磁場との相互作用により、フレミングの左手の法則による方向にスイングアーム１３２を回転させる。ＶＣＭコイル１４１は、コイル支持部１４５に接続される。マグネット１７５は、ＶＣＭコイル１４１に対面するように、その上部及び下部にそれぞれ配置され、ヨーク１７１に付着して支持される。
【００３５】
一方、スピンドルモータ１５５及びアクチュエータ１３０は、上下に対向するように結合されるベース部材１１２及びカバー部材１１１により設けられた内部空間に収容される。ベース部材１１２及びカバー部材１１１は、外部の異物の浸入を防止して、内部に収納された部品を保護し、駆動ノイズが外部に伝達されないように遮断する機能を有する。
【００３６】
ＨＤＤの電源がオンになって、ディスク１５０が回転し始めれば、ＶＣＭは、スイングアーム１３２を所定方向、例えば、反時計回り方向に回転させて、読み取り／書き込みヘッド１３８をディスク１５０の記録面上へローディングさせる。読み取り／書き込みヘッド１３８は、回転するディスク１５０により発生する揚力により、ディスク１５０の表面から所定の高さに浮上する。このような状態で、読み取り／書き込みヘッド１３８は、ディスク１５０の特定のトラックを探索して、ディスク１５０の記録面に／からデータを書き込み／読み取る。ここで、ディスク１５０の記録面は、有効に情報が保存されているディスク１５０の面上の一部領域をいい、一般的に、ディスク１５０の全面をいうのではない。すなわち、ディスク１５０の半径方向に、内側のエッジは、ディスク１５０をスピンドルモータ１５５に結合するために割り当てられ、また、ディスク１５０外側のエッジは、読み取り／書き込みヘッド１３８のパーキングのために割り当てられている。したがって、情報が保存されうる有効なディスク１５０の面は、内周方向の直径（Iｎｎｅｒ  Ｄｉａｍｅｔｅｒ：ＩＤ）と外周方向の直径（Ｏｕｔｅｒ  Ｄｉａｍｅｔｅｒ：ＯＤ）との間の領域と定義される。
【００３７】
一方、ＨＤＤの電源がオフになってディスク１５０の回転が停止すれば、ＶＣＭは、スイングアーム１３２を逆方向、すなわち、時計回り方向に回転させて、読み取り／書き込みヘッド１３８をディスク１５０の記録面から離脱させる。このように、ディスク１５０の記録面から離脱した読み取り／書き込みヘッド１３８は、ディスク１５０の外側に設けられたランプ１６０にパーキングされる。
【００３８】
一方、アクチュエータ１３０の一側には、ケーブル１２０が接続される。ケーブル１２０は軟性を有し、ケーブル１２０は、ベース部材１１２の下側に配置された回路基板から駆動電源や電気的な信号を供給され、これをアクチュエータ１３０に伝達することによって、上述のローディング／アンローディング動作を行わせる。そのために、ベース部材１１２上には、ケーブル１２０と回路基板との接続を媒介するブラケット１８０が設置される。
【００３９】
また、ケーブル１２０を通じて読み取り／書き込みヘッド１３８に電気的な信号を伝送するか、または読み取り／書き込みヘッド１３８から電気的な信号を受信することによって、ディスク１５０上に所定の情報を記録するか、またはディスク１５０の情報を読み取らせる。そのために、ケーブル１２０には、相異なる電気的信号を伝達するさまざまな導電パターンが設けられる。導電パターンには、例えば、読み取り／書き込みヘッド１３８と電気的な信号を送受信するための信号パターン、接地のためのグラウンドパターン、ＶＣＭに駆動電流を印加する駆動電流パターンなどが含まれる。
【００４０】
図５は、図３に示すＨＤＤの要部について示す説明図である。
【００４１】
図５に示すように、ケーブル１２０は、アクチュエータ１３０に接触される第１支持部１２１と、ブラケット１８０に接触される第２支持部１２２とを備え、第１支持部１２１、第２支持部１２２の間には、アクチュエータ１３０またはブラケット１８０により支持されずに、相対的に自由な変形が許容される連結部１２５を備える。ケーブル１２０の第１支持部１２１は、アクチュエータ１３０の側面に、例えば、はんだ付け結合され、第１支持部１２１をアクチュエータ１３０側面に密着させるために、アクチュエータ１３０には、アクチュエータ１３０の一側から斜めに突出した加圧片１３３が設けられている。加圧片１３３により第１支持部１２１は所定の形態に屈曲され、ケーブル１２０自体が有する弾性力によりアクチュエータ１３０の側面に対して密着される。
【００４２】
ケーブル１２０の第２支持部１２２は、例えば、螺合によってブラケット１８０に固定され、そのために、第２支持部１２２には、ねじの貫通ホールが設けられていてもよい。ブラケット１８０の下方には、回路基板（図示せず）が配置されるが、ブラケット１８０には、上下に配置された第２支持部１２２と回路基板（図示せず）とが相互接続されるように、中央開口１８０’が設けられていてもよい。
【００４３】
旋回動作するアクチュエータ１３０とブラケット１８０とを相互接続させるために、ケーブル１２０の連結部１２５は、固定的に支持されず、自由な変形が許容される。ケーブル１２０によりアクチュエータ１３０に加えられるバイアス力を減らすために、連結部１２５は、十分な可撓性を有することが望ましいので、連結部１２５には、相対的に薄いフリーベンディング部１２５ａが所定の長さにわたって設けられる。フリーベンディング部１２５ａは、ケーブル１２０の他の部分に比べて相対的に高い可撓性を有し、それにより、ケーブル１２０がアクチュエータ１３０とブラケット１８０とを相互接続させるために要求される曲げ変形のほとんどは、直ちにフリーベンディング部１２５ａに集中する。一方、連結部１２５の総延長に対するフリーベンディング部１２５ａの長さと、連結部１２５の長手方向にフリーベンディング部１２５ａが形成される位置は、具体的な設計、例えば、アクチュエータ１３０及びブラケット１８０の相対的な位置や離隔距離などによって変わり、一般的に、ケーブル１２０で最大の曲げ変形が発生する位置及びその区間の長さを参照して決定してもよい。
【００４４】
一方、ケーブル１２０は、ベース部材１１２の底面に対して垂直をなす直立状態で組付けられることが望ましいが、通常、製造技術の限界によって、例えば、図５に示すように、ケーブル１２０の第１支持部１２１が接続されるアクチュエータ１３０の加圧片１３３やケーブル１２０の第２支持部１２２が接続されるブラケットの側面１８３が底面に対して完全な垂直をなせないか、または、ケーブル１２０の第１支持部１２１及び／または第２支持部１２２がアクチュエータ１３０の加圧片１３３及び／またはブラケットの側面１８３に完全に密着されないことによって、ケーブル１２０は、捻れた状態で組付けられることが一般的である。
【００４５】
本発明の一実施形態にかかるケーブル１２０には、可撓性が相対的に高いフリーベンディング部１２５ａが設けられるので、ねじれに対しても柔軟に変形し、加工上の限界によって発生するねじれ変形にもかかわらず、ＶＣＭに入力される駆動電流とスイングアーム１３２の回転角度との相互関係は、線形関係から大きく逸脱しない。これは、事前に設定された線形的な入力−出力関係がほぼそのまま維持されることによって、読み取り／書き込みヘッド１３８を特定の目的トラックに迅速に移動させ、アクチュエータの探索特性が向上できるということを意味する。
【００４６】
図６は、図５に示すケーブルをその上側から示す説明図であり、ケーブルに約１０°のねじれ角度を与えたときを示す図である。図７は、図６でＡ−Ａ’及びＢ−Ｂ’の垂直断面間のねじれ角度を説明する説明図である。
【００４７】
まず、図７に示すように、ケーブル１２０のねじれ角度θは、第１支持部１２１と隣接した連結部１２５の一端（図７のＡ−Ａ’で表示された部分）と、第２支持部１２２と隣接した連結部１２５の他端（図７のＢ−Ｂ’で表示された部分）とでそれぞれ垂直断面を取ったとき、それらの垂直断面がなす間の角と定義される。図６に示すように、連結部１２５のＡ−Ａ’で表示された部位が相対的に広く示されているが、これは、ケーブル１２０のねじれにより、その側面が観察されたためである。一方、従来の技術でのねじれ状態を示す図２と比較すると、同じねじれ角度に対して、従来の技術ではケーブル１２０の大部分で側面が観察されるのに対し、図６に示す本発明の一実施形態では、ねじれが発生したＡ−Ａ’部位から短い区間のみにケーブル１２０の側面が観察され、それ以後には、主に上面のみが観察されるということが分かる。本発明のケーブル１２０には、変形が相対的に容易であるように、可撓性に優れたフリーベンディング部１２５ａが設けられるので、所定のねじれ変形のほとんどは、フリーベンディング部１２５ａで吸収され、残りの他のケーブル１２０の部分は、ねじれのない垂直直立状態を維持できる。
【００４８】
図８及び図９は、従来の技術及び本発明での回転によるバイアス力と線形性とを比較するための実験結果を示す説明図である。図８および図９に示した本実験では、スイングアームの回転角度によって、スイングアームに加えられるバイアス力、すなわち、ＶＣＭに駆動電流を印加していない自由状態で、スイングアームに作用される回転力を測定した。
【００４９】
図８には、従来の技術での回転によるバイアス力が示されており、図９には、本発明での回転によるバイアス力が示されている。図８および図９において、横軸には、スイングアームの回転角度が表示されているので、スイングアームの回転角度は、図１０に示すように、任意の基準線を基準に測定した回転角度であって、読み取り／書き込みヘッドがディスクの内径ＩＤにあるときが約４１°であり、読み取り／書き込みヘッドがディスクの外径ＯＤにあるときが約１８°である。符号θは、ケーブルのねじれ角度を表すものであって、図７を参照して定義されたように、ねじれ角度θは、第１支持部１２１と隣接した連結部１２５の一端と、第２支持部１２２と隣接した連結部１２５の他端とでそれぞれ垂直断面を取ったとき、これらの垂直断面がなす間の角と定義される。
【００５０】
従来の技術及び本発明の一実施形態で、ケーブル１２０のねじれ角度θが少ないほど、スイングアームの回転角度と回転によるバイアス力との関係は次第に線形に近接し、ねじれ角度θが大きくなるにつれて、回転によるバイアス力のプロファイルは次第に曲線に近接するということが分かる。
【００５１】
以下の表１は、平均自乗の誤差は、測定された回転によるバイアス力のデータを線形補間して得られた仮想の線形プロファイルと実際のプロファイルとの誤差程度を表すものである。ねじれ角度が０である場合のみを除いては、同じねじれ角度に対して、本発明の一実施形態よりは従来の技術での平均自乗根の誤差が大きい。従来の技術では、スイングアームの回転角度と回転によるバイアス力との関係が線形的な関係から大きく逸脱するので、読み取り／書き込みヘッドが特定の目的トラックに移動するに当って制御の精度が低下し、移動にかかる時間が遅延し、探索特性が悪くなる。それに対し、本発明の一実施形態では、スイングアームの回転角度と回転によるバイアス力との間に大体の線形関係が維持されるので、通常の線形制御を通じて短時間に正確に読み取り／書き込みヘッドを目的トラックに移動させることができる。
【００５２】
一方、従来の技術では、スイングアームの回転角度によって回転によるバイアス力が広範囲で変化するのに対し、本発明の一実施形態では、回転角度による回転力の変化が相対的に少ない。下記の表１で最大の偏差は、スイングアームの回転角度によって変化する回転によるバイアス力の最大値と最小値との差を表すが、同じねじれ角度に対して、本発明の一実施形態よりは従来の技術での偏差が相対的に大きい。回転によるバイアス力の最大の偏差が大きくなれば、読み取り／書き込みヘッドが内径ＩＤで外径ＯＤとの間のデータゾーンをスキャンするために、それだけ多くの回転駆動力が要求され、アクチュエータの駆動効率が悪くなるということを意味する。
【表１】
2007128638.tif 000003
【００５３】
一方、読み取り／書き込みヘッドが特定のトラックを追従するに当って、スイングアームに作用する回転によるバイアス力のため、読み取り／書き込みヘッドが探索中のトラックから離脱されて、いわゆる、トラックキングエラーが発生しうる。相対的に高レベルの回転によるバイアス力が作用する従来のＨＤＤでは、上述のトラックキングエラーにさらに弱くなり、トラックキングエラーを防止するために、回転によるバイアス力を相殺するように、スイングアームに逆方向の回転力を提供せねばならない。後者の場合には、駆動効率が低下するということは言うまでもない。
【００５４】
図１１は、図３に示したケーブル１２０の水平断面を示す説明図であって、特にフリーベンディング部１２５ａの周りについて説明する説明図である。
【００５５】
図１１に示すように、ケーブル１２０は、導電層１２０ａと、導電層１２０ａを挟んで上下側に形成された保護層１２０ｃと、導電層１２０ａと保護層１２０ｃとの間に介在する接着層１２０ｂとを備える。導電層１２０ａには、読み取り／書き込みヘッドのデータ信号と、アクチュエータの駆動信号が導通されるさまざまな導電パターンが形成され、保護層１２０ｃは、導電パターン間の電気的な短絡を防止し、周辺環境から電気的に絶縁させるために、導電層１２０ａの上面及び下面をそれぞれ挟み込んでいる。導電層１２０ａと保護層１２０ｃとの間には、保護層１２０ｃを導電層１２０ａに対して付着する接着層１２０ｂが介在する。このとき、導電層１２０ａの上下の両面に接着層１２０ｂが配置されてもよく、または導電層１２０ａの何れか一面にのみ接着層１２０ｂが配置されてもよい。導電層１２０ａは、電気伝導性に優れた金属素材からなってもよく、例えば、銅素材からなっていてもよい。保護層１２０ｃは、絶縁素材からなってもよく、例えば、ポリイミドからなっていてもよい。
【００５６】
一方、導電層１２０ａは、ケーブル１２０の電気的な性能と密接な関連があるので、その厚さは、ケーブル１２０の総延長を通じて一定に維持されることが望ましい。導電層１２０ａの上下面を覆う保護層１２０ｃは、ケーブル１２０の長手方向によって相異なる厚さに形成されるが、フリーベンディング部１２５ａでは、可撓性を高めるために、フリーベンディング部１２５ａ以外の場所に比べ相対的に薄く形成され、残りの他のケーブル１２０の部分ではフリーベンディング部１２５ａに比べ相対的に厚く形成される。
【００５７】
図１２は、本発明の他の実施形態に係るケーブルの断面を示す説明図である。
【００５８】
図１２に示すように、ケーブル２２０は、軟性を有し、電気信号が疎通される導電層２２０ａと、導電層２２０ａの上下面を覆って絶縁させる保護層２２０ｃを備え、導電層２２０ａと保護層２２０ｃとの間には、接合を媒介する接着層２２０ｂが介在する。導電層２２０ａは、ケーブル２２０の電気的な性能と直結されるので、その厚さは、ケーブル２２０の総延長にわたって均一に維持されることが望ましい。本実施形態を含む本発明では、ケーブル２２０に高い可撓性を与えるために、ケーブル２２０の他の部分に比べて相対的に薄いフリーベンディング部２２５ａが設けられる。フリーベンディング部２２５ａの厚さを縮小させるために、該当部分の保護層２２０ｃは除去されるか、または相対的に薄く形成されていてもよい。本実施形態では、導電層２２０ａの上面を覆う保護層２２０ｃは除去され、導電層２２０ａの下面を覆う他の保護層２２０ｃは相対的に薄く形成されている。
【００５９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６０】
【図１】従来の技術によるＨＤＤの概略的な構造を示す斜視図である。
【図２】図１に示すケーブルをその上側から示す図面である。
【図３】本発明の一実施形態にかかるＨＤＤを示す斜視図である。
【図４】図３に示すＨＤＤの平面図である。
【図５】図３に示すＨＤＤの要部を示す斜視図である。
【図６】図３に示すケーブルを上側から示す説明図であるである。
【図７】図６のＡ−Ａ’及びＢ−Ｂ’線による垂直断面図である。
【図８】従来の技術において、スイングアームの回転角度による回転によるバイアス力のプロファイルを示す図面である。
【図９】本発明において、スイングアームの回転角度による回転によるバイアス力のプロファイルを示す図面である。
【図１０】ＨＤＤの回転角度を説明する説明図である。
【図１１】図３に示すケーブルの水平断面図である。
【図１２】本発明の他の実施形態に係るケーブルの水平断面図である。
【符号の説明】
【００６１】
１１１    カバー部材
１１２    ベース部材
１２０    ケーブル
１２０ａ    導電層
１２０ｂ    接着層
１２０ｃ    保護層
１２１    第１支持部
１２２    第２支持部
１２５    連結部
１２５ａ    フリーベンディング部
１３０    アクチュエータ
１３１    アクチュエータピボット
１３２    スイングアーム
１３３    加圧片
１３５    サスペンション
１３８    読み取り／書き込みヘッド
１４１    ＶＣＭコイル
１４５    コイル支持部
１５０    ディスク
１５５    スピンドルモータ
１６０    ランプ
１７１    ヨーク
１７５    マグネット
１８０    ブラケット
１８０’    中央開口
１８３    ブラケットの側面
【図１】
2007128638.tif 000004
【図２】
2007128638.tif 000005
【図３】
2007128638.tif 000006
【図４】
2007128638.tif 000007
【図５】
2007128638.tif 000008
【図６】
2007128638.tif 000009
【図７】
2007128638.tif 000010
【図８】
2007128638.tif 000011
【図９】
2007128638.tif 000012
【図１０】
2007128638.tif 000013
【図１１】
2007128638.tif 000014
【図１２】
2007128638.tif 000015